(57)【要約】【課題】  ラッチング形電磁リレー本体にカバーが取付けられていない組立工程においても接点ギャップ、接点接触力及び動作特性等の特性チェックが可能になる電磁石装置を提供する。【解決手段】  可動接極子のホルダーの中央に貫通軸孔を設け、一方該可動接極子が収納される筐体の底部から回転軸を突出させて、前記貫通軸孔に該回転軸を貫通させて可動接極子を前記回転軸中心に回動可能にした電磁石装置を提供することにより、上記課題を解決したものである。【選択図】  図１
2017054948.tif 000002
【特許請求の範囲】
【請求項１】
電磁コイルに巻かれた棒状の鉄心と、一端を互いに内側に直角に折り曲げて磁極部とし他端を前記鉄心の両端にそれぞれ固着した一対のヨークと、上側と下側に並行に配置されそれぞれの両端を磁極片とした２個の平板状の可動鉄片と、該２個の可動鉄片間に挟持された直方体状の２個の永久磁石と、該永久磁石及び前記可動鉄片を一体的に保持固定するホルダーとからなり、前記一対のヨークの磁極部間に前記可動鉄片及び永久磁石が一体化されたホルダーを配置した電磁石装置において、前記ホルダーは左右方向に貫通した２個の貫通孔と、前後方向に設けた２個の角状穴と該２個の角状穴間の中央に設けた貫通軸孔とを備え、前記貫通孔に前記可動鉄片を挿入し、前記角状穴には前記永久磁石を挿入して可動接極子を構成し、該可動接極子が前記貫通軸穴に貫通される回転軸を軸として回動可能にしたことを特徴とする電磁石装置。
【請求項２】
前記ホルダーの左右方向のいずれかの一端を延長して、延長した先端部に係合部を設けたことを特徴とする請求項１記載の電磁石装置。
【請求項３】
前記請求項１、または請求項2に記載のいずれかの一つの電磁石装置を備え、前記可動接極子の回動により可動接触子が操作されることを特徴とするラッチング形電磁リレー。
【発明の詳細な説明】
【技術分野】
【０００１】
本発明は、電磁石装置及び該電磁石装置を使用したラッチング形電磁リレーに関するものである。
【背景技術】
【０００２】
可動接極子は、一対の可動鉄片と該可動鉄片に挟持された１個の永久磁石と該永久磁石と前記可動鉄片を保持するホルダーとから構成され、該ホルダーの前後面にはそれぞれ回転軸が形成されている。一方ケースとカバーには、前記軸部に対向したそれぞれの軸受け部が設けられていて、該軸受け部に前記回転軸が軸支され、前記可動接極子が前記軸受け部を中心に回動する。（例えば、特許文献1参照）
【先行技術文献】
【特許文献】
【０００３】
【特許文献１】特開２０１３-１８２６８７号公報
【発明の概要】
【発明が解決しようとする課題】
【０００４】
しかしながら上述した従来ラッチング形電磁リレーにおいては、軸受け部の一方がカバーに設けられているため、本体にカバーが取付けられていない状態では回転軸が形成されず、組立工程において、接点ギャップ、接点接触力及び動作特性等のチェックができないという問題点がある。この種のラッチング形電磁リレーは、カバーがまだ取付けられていない組立工程において、接点ギャップ、接点接触力及び動作特性等のチェックが一般的に必要になる。
【０００５】
本発明はこのような従来の問題を解決しようとするもので、本体だけで回転軸機構を構成し、カバーが取付けられていない組立工程においても、接点ギャップ、接点接触力及び動作特性等のチェックを可能にした電磁石装置及びこれを使用したラッチング形電磁リレーを提供することを目的とするものである。
【課題を解決するための手段】
【０００６】
本発明は電磁コイルに巻かれた棒状の鉄心と、一端を互いに内側に直角に折り曲げて磁極部とし他端を前記鉄心の両端にそれぞれ固着した一対のヨークと、上側と下側に並行に配置されそれぞれの両端を磁極片とした２個の平板状の可動鉄片と、該２個の可動鉄片間に挟持された直方体状の２個の永久磁石と、該永久磁石及び前記可動鉄片を一体的に保持固定するホルダーとからなる。
【０００７】
前記一対のヨークの磁極部間に前記可動鉄片及び永久磁石が一体化されたホルダーを配置し、前記上側の可動鉄片の磁極片と下側の可動鉄片の磁極片間に前記ヨークの磁極部をそれぞれ収納させた。前記ホルダーは左右方向に貫通した２個の貫通孔と、前後方向に貫通した２個の角状穴と該角状穴間の中央に設けた貫通軸孔とを備え、前記各貫通孔に前記可動鉄片を挿入し、前記角状穴には前記永久磁石を挿入して可動接極子を構成した。
【０００８】
一方該可動接極子が収納される筐体には回転軸が突出されている。前記貫通軸孔に該回転軸が貫通し、前記可動接極子が前記回転軸を中心に回動可能にした電磁石装置を提供することにより、上記課題を解決したものである。
【０００９】
また、前記ホルダーの左右方向のいずれかの一端を延長して、延長した先端に係合部を設けた構成にしたものである。
【発明の効果】
【００１０】
本発明によれば、本体だけで可動接極子の回転軸機構を構成したため、カバーが取付けられていない組立工程においても、接点ギャップ、接点接触力及び動作特性等のチェックが可能になる。
【図面の簡単な説明】
【００１１】
【図１】本発明にかかるラッチング形電磁リレーの構成を示す、カバーを省略した正面図である。（一部の部品は断面図である）
【図２】本発明にかかる電磁石装置の構成を示す分解斜視図である。
【実施例】
【００１２】
本発明の電磁石装置は図１に示すように電磁石１と可動接極子６からなり、電磁石１は、電磁コイル２が巻かれた棒状の鉄心３と、一端を互いに内側に直角に折り曲げて磁極部４ａ、５ａとし、他端を鉄心３の両端にそれぞれ固着した一対のヨーク４、５とからなる。
可動接極子６は、上下に並行に配置されそれぞれの両端を磁極片７ａ、７ｂ、８ａ、８ｂとする２個の平板状の可動鉄片７、８と２個の可動鉄片７、８間に挟持され左右対称に配置された直方体状の２個の永久磁石９、１０と永久磁石９、１０及び可動鉄片７、８を一体的に保持するホルダー１１とから構成され、ヨーク４、５の磁極部４ａ、５ａ間に配置される。
【００１３】
図２に示すように、ホルダー１１は左右方向に貫通した２個の貫通孔２０、２１と、前後方向に貫通した２個の角状穴２２、２３と角状穴２２、２３間の中央に設けた貫通軸孔１２を備え、貫通孔２０、２１に可動鉄片７、８を挿入し、角状穴２２、２３には永久磁石９、１０を挿入して可動接極子６（図１に示す）を構成している、一方筐体１３には回転軸１４を突出させている。貫通軸孔１２に回転軸１４が貫通されて、可動接極子６（図１に示す）を回動可能にしている。
【００１４】
よって、本構成によれば筐体１３に電磁石装置と接点装置１６を組み込んだ時点において、接点ギャップ、接点接触力及び動作特性などのチェックが可能になる。また回転軸１４は筐体１３に一体に設けたため追加部品の必要なく、低コストな電磁石装置を提供できる。
【００１５】
ホルダー１１はその上部左端が延長され、先端部に係合部１７を設けている。また、延長胴部で可動鉄片７、８を覆うように構成したため可動鉄片７、８と接点装置１６間の絶縁距離を大きくでき、耐インパルス電圧等の絶縁性能を向上できる。さらに、連結片１５の凹部１９と係合部１７を篏合させて構成したリンク部を、筐体１３の左側壁と可動接極子６間のデッドスペース部に設けたため、小形化が可能になる。
【００１６】
次に動作について図１により説明する。一対のヨーク４、５のそれぞれの磁極部４ａ、５ａは電磁コイル２への通電方向に応じた極性に励磁され、互いに異極性になる。
【００１７】
一方２個の可動鉄片７、８は永久磁石９、１０によって互いに異極性に磁化され、それぞの両端が磁極片７ａ、７ｂ、８ａ、８ｂとなっている。本実施形態の場合、７ａと７ｂはＮ極に、８ａと８ｂがＳ極になっている。可動鉄片７、８のそれぞれの磁極片７ａと８ａ間にはヨークの磁極部４ａが、磁極片７ｂと８ｂ間にはヨークの磁極部５ａが配置され、それぞれの磁極が対峙する。
【００１８】
このような状態において、磁極部４ａがＮ極、磁極部５ａがＳ極になる方向に前記電磁コイル２へ通電すると、磁極片７ｂと磁極部５ａ間及び磁極片８ａと磁極部４ａ間には吸引力が発生する。これらの吸引力によって可動接極子６は時計廻り方向に回動する。また電磁コイル２への通電方向を逆方向にすると、磁極部４ａと５ａが逆極性になり反時計廻り方向に回動する。
【００１９】
前記吸引力はホルダー１１の係合部１７を介して連結片１５に上下運動として伝達され、連結片１５によって可動接触子１８が操作されて、接点の開閉が行われる。
【産業上の利用可能性】
【００２０】
上述の発明は、ラッチング形電磁リレー及びラッチング形電磁リレーの電磁石装置として利用可能である。
【符号の説明】
【００２１】
１・・・電磁石
２・・・電磁コイル
３・・・鉄心
４、５・・・ヨーク
４ａ、５ａ・・・磁極部
６・・・可動接極子
７、８・・・可動鉄片
７ａ、７ｂ、８ａ、８ｂ・・・磁極片
９、１０・・・永久磁石
１１・・・ホルダー
１２・・・貫通軸孔
１３・・・筐体
１４・・・回転軸
１５・・・連結片
１６・・・接点装置
１７・・・係合部
１８・・・可動接触子
１９・・・凹部
２０、２１・・・貫通孔
２２、２３・・・角状穴
【図１】
2017054948.tif 000003
【図２】
2017054948.tif 000004